Podtech/llm-jp-corpus-v4-ja_patent huggingface dataset:
(57)【要約】【課題】棚に出し入れできるように収容され、小型の書籍を前後二列に収納し保持すると共に、奥に収めた書籍の出し入れが容易な引出しを提供する。【解決手段】書籍を、前方収納部がヒンジ機構により後方収納部と連結されて下方に回動可能な構造を持つ中折れ引出しに入れて棚に収容する。引出しをヒンジ部まで棚から引き出して前方収納部を下に傾けることにより、書籍を容易に出し入れすることが可能となる。【選択図】    図１
2004187903.tif 000002
【特許請求の範囲】
【請求項１】
前板、左右側板、底板よりなる前方収納部と、背板、左右側板、底板よりなる後方収納部がヒンジ機構により連結され、前方収納部が下方に回動可能であることを特徴とする引出し。
【請求項２】
前方収納部の前板の対面に仕切り板を設けると共に、後方収納部の左右側板の上前方の角が斜めに切断されていることを特徴とする請求項１記載の引出し。
【発明の詳細な説明】
【０００１】
【発明の属する技術分野】
この発明は書棚に出し入れできるように収容され、書籍を収納し保持する引出しに関するものである。
【０００２】
【従来の技術】
書籍の標準的な大きさには、大きいものではＡ４判から小さいものではＡ６判まであって、通常書棚は棚板の上下の間隔および奥行きをＡ４判の書籍に合わせて作られており、さらに比較的数多く出回っているＡ６判の書籍の高さに合わせて部分的に棚板の間隔を半分に狭くできるようにしてあるものが一般的である。
【０００３】
Ａ４判の書籍に比べ、Ａ６判の書籍は棚に並べるときにその奥行きを半分しか必要としないことから棚の収容力に余裕が無くなると、既に収納されたＡ６判の書籍の手前にさらに別の書籍が置かれることが多い。
【０００４】
【発明が解決しようとする課題】
しかしながら、前記の場合において奥の方に収納された書籍を棚の中から取り出す際には、前に置かれた書籍を一々除けて探さなければならず出し入れに手間が掛かっていた。
【０００５】
従来の引出しを利用したとしても、書籍を二列に立てて入れると背表紙が見えずに取り出し辛く、かといって背表紙が上になるように寝かせて入れたのでは、引出し内に隙間があるときに中に入れた書籍が折れ曲がり易いと共に、立てて入れた場合に比べて高さが低くなり、上方の棚板との間隔が広がることで収納スペースを有効に利用できなかった。
【０００６】
そこでこの発明は、Ａ６判程度の小型の書籍を前後二列に立てて収納することで棚の収納空間を最大限有効利用すると同時に、前方の書籍を入れたままでも奥にある書籍の出し入れが容易な引出しの提供を課題とする。
【０００７】
【課題を解決するための手段】
以上の課題を解決するために、この発明による引出しは前方収納部が回動可能なヒンジ機構でコ字型の後方収納部と連結されるという構成を採っている。これにより、引出しをヒンジ部まで棚から引き出し前方収納部を下に傾けるという一連の簡単な動作で、奥に収納された書籍の背表紙を確認すると共に書籍を出し入れすることができる。
【０００８】
【発明の実施の形態】
この発明の一実施形態を、図１に示す。前方収納部は前板４、側板２ａ、２ｂ、仕切り板３による長方形の枠と底部１ａによって形成され、後方収納部は背板５、側板２ｃ、２ｄによるコ字型の枠と底部１ｂで形成され、ヒンジ部６により前後の収納部が連結されている。素材には柔軟性のある樹脂または厚紙を使用するものとし、ヒンジ部６は底部に折り目を付けることで形成する。
【０００９】
引出しの前方収納部と後方収納部に書籍を入れ棚に収めた状態を図２に示す。書籍は縦に立てた状態で前後二列に整列している。
【００１０】
後方収納部はコ字型に手前が開いており、図３のようにヒンジ部まで引き出してから前方収納部を下に傾ければ、奥に収納された書籍の背表紙を正面から確認すると共に任意の位置の書籍を出し入れすることができる。
【００１１】
この引出しを複数横に並べた状態で棚から引き出す際に、側板２ｃ、２ｄが横に広がって隣の引出しの側板に引っかかることを防ぐため、側板２ｃ、２ｄの角は斜めにカットされている。
【００１２】
仕切り板３は前方収納部を下に傾けた際に、前方に収納された書籍が落下することを防ぐと共に、側板２ａ、２ｂが横に広がらないようにし、また、ヒンジ部６付近を補強する。
【００１３】
前板４の高さは書籍の背表紙を確認でき、なおかつ前方収納部を下に傾けたときに書籍が落ちないように書籍の高さの半分程度とし、棚から引出し易くするために取っ手７を設ける。
【００１４】
「実施形態の効果」
この実施形態によれば柔軟性のある樹脂や厚紙等を用いて、内部に納めた書籍等を取り出し易い安価な引出しを提供することが出来る。
【００１５】
「他の実施形態」
硬質で強度が十分確保できる素材を用いる場合には、仕切り板３は必ずしも必要ではなく、またヒンジ部は蝶番等により形成するものとする。
【００１６】
前板４に透明な素材を用いれば、前板の高さをさらに高くして書籍がより落下し難いようにすることができる。
【００１７】
また、この引出しは収納部の奥行きをコンパクトディスクやビデオカセットテープ等の大きさに合わせることにより、これらの収納にも利用可能である。
【００１８】
【発明の効果】
以上説明したように、小型の書籍を棚に収納するに際して、この発明による引出しを用いて前後二列に収納することで、棚の内部空間を最大限に利用すると同時に、引出しをヒンジ部まで引き出し前方収納部を下に傾けるという簡単な操作で、奥に収納された書籍の背表紙を確認し容易に出し入れすることが可能となる。
【００１９】
また、この引出しは単純な構造をしており、厚紙等の安価な素材で製作した場合には極めて安価に提供することが可能である。
【図面の簡単な説明】
【図１】引出しの概略斜視図
【図２】引出しに書籍を入れて棚に収容した状態の説明図
【図３】前方収納部を下に傾けて書籍を出し入れする際の説明図
【符号の説明】
１ａ、１ｂ  底板
２ａ、２ｂ、２ｃ、２ｄ  側板
３  仕切り板
４  前板
５  背板
６  ヒンジ部
７  取っ手
８  書棚
９  書籍
【図１】
2004187903.tif 000003
【図２】
2004187903.tif 000004
【図３】
2004187903.tif 000005
(57)【要約】      （修正有）【課題】従来の車椅子は、補助器具なしでは自分の力で歩行することの出来ない足の不自由な人間用の歩行補助器具として、折りたたみの可能な人間用車椅子であり、補助器具なしでは自分の力で歩行することの出来ない動物用の歩行補助器具である車椅子は全くなかった。本発明はこの問題を解決し、どの動物にも安全で使用が可能な動物用車椅子を提供する。【解決手段】本発明の動物用高さ調節器付き車椅子は、高さを調節することにより、どの動物にも使用が可能とのなることを特徴とする。【選択図】図２
2004187937.tif 000002
【特許請求の範囲】
【請求項１】
数個のねじ穴を有する板に動物の体を固定するベルトとＵ字形の穴を設けた円形の板にタイヤを取り付けた支持棒を接続し、高さを調節できる動物用車椅子。
【発明の詳細な説明】
【０００１】
【発明が属する技術分野】
本発明は、医療用具、介護用具、及び動物用歩行補助器具の車椅子に関するものである。
【０００２】
【従来の技術】
従来の車椅子として特開平２０００−０３７４２０がある。車体の下部構造の一として、車体の二組の交差脚の左右下端の前後連結部材への後車輪部支持部材固定部の直前または直後に回転可能に円筒を嵌め、その左右両円筒に車体全開時の左右フレーム幅の僅かに長い平棒部材を固定し、車体中心線上で２本の端を上にしてヒンジ連結し、車体半開時に２本の平棒部材よりなる底辺の無い二等辺三角形を形成させ車体全開時には高さの低い二等辺三角形を形成して停止させる為頂点にストッパー兼踏み板を設けた即時に開くことを特徴とする車椅子である。
【０００３】
【発明が解決しようとする課題】
しかしながら、従来の歩行補助器具、車椅子は、全てが人間用で、動物用歩行補助の車椅子は無いという問題があった。本発明は、タイヤをとりつけた支持棒を動かす事によって高さ調節ができ、動物にとって安全で、簡単な運動ができる車椅子を提供することを目的とする。
【０００４】
【課題を解決するための手段】
本発明者は、上記課題を鋭意検討した結果、本発明を完成するに至った。すなわち、本発明の動物用高さ調節器付き車椅子は足の不自由な動物が安全かつ簡単な運動ができ、高さを調節する事を可能にしたことであらゆる動物に使用できる。
【０００５】
本発明の動物用高さ調節調節器付き車椅子後部の調節器の部分は、高さを調節する為にU字型の穴を設けた円形の板に、タイヤを取り付けた支持棒を接続することによりたがいを連結する。
【０００６】
【発明の実施の形態】
以下、図面によって本発明の実態の形態について説明する。
本発明の動物用高さ調節器付き車椅子の分解図を図１に示す。動物用高さ調節器付き車椅子の立体図を図２に示す。本発明のタイヤ６０は現在市販されているタイヤと同型のものを使用してもよい。また、ねじ穴を設けた棒４０にタイヤ６０を取り付けたものをおねじ７０とタイヤ８０を高さ調節器３０に装置する。
【０００７】
本発明の調節器３０はU字型の穴１００ととねじ穴１１０を設けた板２０に装着する。
【０００８】
本発明のベルト１  ５０とベルト２  ２０はねじ１３０で板２０に装着する。
【発明の効果】
本発明は以上説明したように構成されているので以下に記されるような効果を有する。
車椅子を高さ調節可能にすることで、あらゆる動物に使用する事ができる。
【図面の簡単な説明】
【図１】本発明に係る動物用高さ調節器付き車椅子の分解図である。
【図２】動物用高さ調節器付き車椅子の分解図である。
【図３】動物用高さ調節器付き車椅子の正面図である。
【符号の説明】
２０    板
３０    高さ調節器
４０    棒
５０    ベルト・１
６０    タイヤ
７０    おねじ
８０    めねじ
９０    穴
１００    U字型の穴
１１０    ねじ穴
１２０    ベルト・２
【図１】
2004187937.tif 000003
【図２】
2004187937.tif 000004
【図３】
2004187937.tif 000005
(57)【要約】【課題】電気化学的表面処理もしくは、熱処理加工にて有色酸化膜を生成させたチタン材を装身具として使用する場合、肌、又は衣服と接触する事でチタン材表面の色の剥がれが発生し装身具として用いる事ができなかった。【解決手段】角錐形状のダイヤモンド、貴石を用いてチタン材表面に鏡面の凹を得た後、従来の電気化学的表面処理、熱処理加工を行う事で凹面が輝きの有る綺麗なカラー色の外観を有し、色の剥がれが発生しづらい装身具としての好適な装身具部品として用いることが可能となった。【選択図】        図４
2004187915.tif 000002
【特許請求の範囲】
【請求項１】
電気化学的表面処理もしくは、熱処理後のチタン材表面の摩耗による色のついた酸化膜の剥がれを防止する為に、電気化学的表面処理もしくは、熱処理前にチタン材の表面に角錐形状のダイヤモンド、貴石を用いて打ちつけ加工を施し、その後、電気化学的表面処理、熱処理をする事で角錐形状の鏡面の凹みにより摩耗による酸化膜の剥がれを防止し、輝きの有る綺麗な色のついた酸化膜を得る加工方法。
【発明の詳細な説明】
【０００１】
【発明が属する技術分野】
本発明は他の物と接触しても、電気化学的表面処理もしくは、熱処理にてチタン材に得られた色のついた酸化膜の剥がれを防止する方法である。
【０００２】
【従来の技術】
従来はチタン材を使った装身具に於いて色を着ける為に電気化学的加工等を材料に加える事などを直接行っていた。
【０００３】
【発明が解決しようとする課題】
解決しようとする問題点は、この電気化学的表面処理もしくは、熱処理加工にて生成した有色酸化膜は摩擦に弱くこの加工を行った装身具はチタン材表面が平面で有るために、肌、又は衣服と接触する事で色のついた酸化膜が剥がれ易い点である。
【０００４】
【課題を解決するための手段】
本発明は、チタン材の表面に角錐形状のダイヤモンド、貴石を用いて打ちつけ加工をする事で角錐形状の鏡面の凹みを得た後、電気化学的表面処理もしくは、熱処理を行う事で輝きの有る綺麗な色のついた酸化膜が得られ凹形状によって摩耗しても剥がれが防止できる事を特徴としている。
【０００５】
【発明の実施の形態】
以下、本発明の実施形態を図面を用いて具体的に説明する。
【０００６】
【実施例】
図１は従来の表面加工をした電気化学的表面処理、熱処理をしたチタン材の中空丸玉３個を例に取り上げた装身具部品の正面図で有り、丸玉表面には凹が無く他の物と接触した場合に色のついた酸化膜の剥がれが発生する事を示す。
【０００７】
図２は、従来の表面加工をした電気化学的表面処理もしくは、熱処理をしたチタン材の装身具部品の断面図で、丸玉表面には凹が無い事を示す。
【０００８】
図３は、チタン材表面の加工に用いる角錐形状のダイヤモンドを付けた工具である。
【０００９】
図４は、図３で示したで角錐形状のダイヤモンド工具を用いて打ちつけ加工した後の装身具部品の断面図である。
【００１０】
図５は、図４で示した装身具部品の平面図である。
【発明の効果】
以上説明したように本発明のチタン材の色のついた酸化膜の剥がれ防止方法は、ダイヤモンド、貴石を用いて凹を得ることで凹面が輝きの有る綺麗な色のついた酸化膜の外観を有し装身具としての好適な装身具部品として用いることが可能となった。
【図面の簡単な説明】
【図１】図１は、従来の表面加工のみをした丸玉を例とした装身具部品の正面図でチタン材表面には凹が無い事を表している。
【図２】図２は、従来の表面加工のみをした装身具部品の断面図でチタン材表面には凹が無い事を表している。
【図３】図３は、角錐形状のダイヤモンドを付けた工具である。
【図４】図４は、装身具部品の表面に凹み加工を施した装身具部品の断面図である。
【図５】図５は、装身具部品の表面に凹み加工を施した装身具部品の平面図である。
【符号の説明】
１０  加工前の装身具部品
２０  加工前の装身具部品
３０  角錐形状のダイヤモンドを付けた工具。
３１  角錐形状のダイヤモンド部
４０  加工後の装身具部品
５０  加工後の装身具部品
【図１】
2004187915.tif 000003
【図２】
2004187915.tif 000004
【図３】
2004187915.tif 000005
【図４】
2004187915.tif 000006
【図５】
2004187915.tif 000007
(57)【要約】【課題】  サイリスターのサポートによりうず電流を切れることなく生み続ける電機子界磁発電機モーターで完全無公害電気自動車エンジンを提供する。【解決手段】  円形界磁（２）の中に電気子（１）とブラシ（３）を設けうず電流を起こし電機子の回転で電機を生産させる、電機子（１）と界磁（２）で電気を生産させる、サイリスター（４）で常に磁界を生み動き続ける電機子界磁発電機（５）。【選択図】  図３
2004187499.tif 000002
【特許請求の範囲】
【請求項１】
円形磁界の中に電機子（１）を置き、蓄電池（２）から電流を与えうず電流を発生させ電機子（１）を回転させ、出来た電気を外部蓄電池（２）に蓄え、電流をブラシ（３）を介して発電機（５）に伝え又供給出来る電極ブラシ＋部にサイリスター（４）を設ける電機子界磁交直流発電機（５）。
【発明の詳細な説明】
【発明の詳細な説明】
【発明属する技術分野】
【０００１】  電気は、うず電流が流れ、それによって電機子は回転する。電機子の回転がだんだん速くなって、回転磁界の速さと同じになると、電機子は磁界の変化を感じなくなる、磁界の変化がなければ、うず電流は流れず、回転力はなくなる。しかし、電機子の回転が遅くなってくると、又、磁界の変化を感じるようになり、又回転力が出て来る。いつも磁界の変化を感じさせるように、１００万分の１秒で電流を入れ切り出来るサイリスターを付けた電機子界磁交直流発電機。
【将来の技術】
【０００２】  将来、直流発電気を作るのに電機子界磁発電機を蓄電池で回転させ出て来た、うず電流で電機子を回転させ電気を蓄電池に蓄えこの電気で車、船、動く物の原動機とするのに電気を作るのにサポーターとして蓄電池を利用する、電気子の回転がだんだん速くなって来て回転磁界の速さと同じになると、電機子は磁界の変化を感じなくなり回転力はなくなるが、電極＋側にサイリスター付けて何時も磁界の変化を感じさせるようにする。
【発明が解決しようとする課題】
【０００３】  サイリスターの開発がされてなかったので、石油に依存ばかりだったが、完全無公害車と銘うつて、燃料としての水素と、空気中のイオンとを結合さえて電気を作る発電機を動力として燃料電池車があったが今一歩たりなった。
これを解決するために、銅線と希土類磁石が無限に出来る電気子界磁発電機で、うず電流をサイリスターを使って電気に換えモーターを使って原動機に換えることが出来る。
【課題を解決するための手段】
【０００４】イ、銅線と希土類磁石でうず電流が無限に出来る電流を電気に換えるために電気子を付けブラシにサイリスターを設け電気子界磁発電機を作り発電機のモーターで動かす無公害車。
ロ、回転磁界の中に電機子（１）を置き、蓄電池（２）から電流を与えうず電流を起こさせ電機子を回転させ、うず電流で電機子を回転させ電気を作る。
ハ、電機子の回転がだんだん速くなって回転磁界の速さと同じになると磁界の変化を感じなくなりうず電流は流れなくなり回転力はなくなる。
ニ、電機子界磁発電機は、電気を内部に伝え外部え供給する為電極＋部にブラシ（３）を設ける。
ホ、いつも磁界の変化を感じるように１００万の１秒でスイッチングが出来るサイリスター（４）を付けた電機子界磁交直発電機（５）。
【発明を実施するための最良の形態】
【０００５】イ、円形界磁の中に電機子を置けば電機子はうず電流でぐるぐる回転します。
ロ、回転数が円形磁界の速さと同じになるとうず電流は生まれなくなり電気子の回転は止まります。
ハ、ロ、回転を出すうず電流を持続させる為にサイリスターをスイッチ電極＋部分に取り付ける。
ニ、サイリスターをスイッチ電極＋部分に取り付け１００万の１秒でスイッチングが出来るので何時もうず電流が出来て発電出来る。
【発明の効果】
【０００６】  窒素酸化物が多くなって地球環境に悪影響を及ぼすので、サイリスターを磁界発電機に利用したら完全無公害車、完全無公害船、動くものの原動機とすることができる、うず電流を制御出来る交直流発電機。
【図面の簡単な説明】
【図１】本発明の電気の旅磁力線斜視図
【図２】本発明の電流磁力線の数斜視図
【図３】本発明の直流発電機のしくみ全体斜視図
【符号の説明】
１  電機子
２  蓄電池
３  ブラシ
４  サイリスター
５  電機子界磁発電機
【図１】
2004187499.tif 000003
【図２】
2004187499.tif 000004
【図３】
2004187499.tif 000005
(57)【要約】【課題】回転検出器の取付作業と配線作業を簡素化でき、信頼性とメンテナンス性が向上する回転検出器付き電動機を提供する。【解決手段】コネクタ端子１３の反対側は回転検出器１２の回路部と接続され、コネクタ端子１３と樹脂成型配線体１４の片端は、回転検出器１２を電動機本体１１に取り付けると同時に連結できるように軸方向に設けている。また、他端は接続し易いように電動機本体１１の側面に配設して、接続ケーブルにより電動機制御装置と接続する。【選択図】  図１
2004187456.tif 000002
【特許請求の範囲】
【請求項１】
電源用および信号通信用のコネクタ端子を有する回転検出器と、片端を前記コネクタ端子と直接接続し、他端をモータ制御装置に接続する樹脂成型配線体とを備え、前記樹脂成型配線体を電動機本体に設けた回転検出器付き電動機。
【請求項２】
樹脂成型配線体に固定子巻線に電力を供給する配線をさらに増設した請求項１記載の回転検出器付き電動機。
【請求項３】
電源用および信号通信用のコネクタ端子を有する回転検出器と、前記回転検出器を覆い電動機に固定する検出器カバーと、片端を前記コネクタ端子と直接接続し、他端をモータ制御装置に接続する樹脂成型配線体とを備え、前記樹脂成型配線体を検出器カバーに設けた回転検出器付き電動機。
【発明の詳細な説明】
【０００１】
【発明の属する技術分野】
本発明は、回転検出器付き電動機の配線に関するものである。
【０００２】
【従来の技術】
近年、各種産業用装置の駆動源として搭載される高性能電動機の需要が急速に高まるなか、いかにタイムリーに製品を顧客へ提供できるかが競争を勝抜くための重要な要素となっている。
【０００３】
これに対応すべくリードタイム短縮に向けたグローバル最適地生産が望まれ、どの拠点においても同レベルでのものづくりが可能な電動機の構成、すなわち組立性良好であることが求められる。
【０００４】
この組立性良好といわれるものも含め、従来の回転検出器付き電動機の構成は、検出信号を外部へ導出するため中継用のリード線が回転検出器に装着されているのが一般的である。（例えば特許文献１参照）
【０００５】
【特許文献１】
特開平８−１６８２０９号公報
【０００６】
【発明が解決しようとする課題】
しかしながら、従来の回転検出器付き電動機では、リード線両端の線処理をせねばならず、製造リードタイム削減を阻む原因となっていた。
【０００７】
この回転検出器に取り付けるリード線が長すぎると、リード線と回転部とが接触して、絶縁不良や断線する可能性があった。逆に短すぎると作業性が悪くなるとともにリード線にストレスがかかるなど、リード線にまつわる潜在的な品質課題をかかえていた。
【０００８】
本発明はこのような従来の課題を解決するものであり、回転検出器の取付作業と配線作業を簡素化でき、信頼性とメンテナンス性が向上する回転検出器付き電動機を提供することを目的とする。
【０００９】
【課題を解決するための手段】
上記従来の課題を解決するために本発明の回転検出器付き電動機は、電源用および信号通信用のコネクタ端子を有する回転検出器と、片端を前記コネクタ端子と直接接続し、他端をモータ制御装置に接続する樹脂成型配線体とを備え、この樹脂成型配線体を電動機本体あるいは検出器カバーに設けたものである。
【００１０】
【発明の実施の形態】
上記従来の課題を解決するために請求項１記載の回転検出器付き電動機は、電源用および信号通信用のコネクタ端子を有する回転検出器と、片端を前記コネクタ端子と直接接続し、他端をモータ制御装置に接続する樹脂成型配線体とを備え、前記樹脂成型配線体を電動機本体に設けたもので、回転検出器から直接リード線を引き出さないため製造工数を削減でき、回転検出器の取り付け作業の簡素化および信頼性・メンテナンス性を向上させることができる。
【００１１】
また、請求項２記載の回転検出器付き電動機は、請求項１に加えて、樹脂成型配線体に固定子巻線に電力を供給する配線をさらに増設したものである。
【００１２】
さらに、請求項３記載の回転検出器付き電動機は、電源用および信号通信用のコネクタ端子を有する回転検出器と、前記回転検出器を覆い電動機に固定する検出器カバーと、片端を前記コネクタ端子と直接接続し、他端をモータ制御装置に接続する樹脂成型配線体とを備え、前記樹脂成型配線体を検出器カバーに設けたもので、回転検出器にまつわる配線および取り付け作業を簡素化できる。
【００１３】
【実施例】
以下本発明の実施例について、図面を参照して説明する。
【００１４】
（実施例１）
実施例１は、樹脂成型配線体を電動機本体に設けたものである。図１において、１１は電動機本体、１２は回転検出器、１３はコネクタ端子、１４は樹脂成型配線体、１５は検出器カバーである。
【００１５】
コネクタ端子１３の反対側は回転検出器１２の回路部と接続され、コネクタ端子１３と樹脂成型配線体１４の片端は、回転検出器１２を電動機本体１１に取り付けると同時に連結できるように軸方向に設けている。また、他端は接続し易いように電動機本体１１の側面に配設して、接続ケーブルにより電動機制御装置と接続する。
【００１６】
これにより、電動機制御装置は回転検出器１２に電力を供給する。また、回転検出器１２で得られた位置検出情報は、コネクタ端子１３、樹脂成型配線体１４、接続ケーブルを経由して電動機制御装置にフィードバックされる。
【００１７】
なお、樹脂成型配線体に固定子巻線と接続する端子を追加して設けてもよく、あらかじめ電動機本体を組み立てる時点で樹脂成型配線体の一方と固定子巻線をコネクタ接続してもよい。
【００１８】
（実施例２）
実施例２は、樹脂成型配線体を検出器カバーに設けたものである。図２において、２１は電動機本体、２２は回転検出器、２３は回転検出器の回路部に接続されたコネクタ端子、２４は樹脂成型配線体、２５は検出器カバーである。
【００１９】
コネクタ端子２３の反対側は回転検出器２２の回路部と接続され、コネクタ端子２３と樹脂成型配線体２４の片端は、検出器カバー２５を電動機本体２１に取り付けると同時に連結できるように軸方向に設けている。また、他端は検出器カバー２５の側面に配設して、接続ケーブルにより電動機制御装置と接続する。
【００２０】
【発明の効果】
上記実施例から明らかなように本発明によれば、回転検出器にコネクタ端子を設け、樹脂成型配線体を電動機または検出器カバーに設けることで、取付作業と配線作業を簡素化でき、信頼性とメンテナンス性を向上させた回転検出器付き電動機を得ることができる。
【図面の簡単な説明】
【図１】本発明の実施例１における電動機の要部断面図
【図２】本発明の実施例２における電動機の要部断面図
【符号の説明】
１１、２１  電動機本体
１２、２２  回転検出器
１３、２３  コネクタ端子
１４、２４  樹脂成型配線体
１５、２５  検出器カバー
【図１】
2004187456.tif 000003
【図２】
2004187456.tif 000004
(57)【要約】      （修正有）【課題】人はスケジュールを確実に管理するために、常に携帯する手帳やパソコンなどで、自分の予定をメモしてきた。スケジュールには、自分の直接の行動に加え、他人（自分も含む）への伝言およびメッセージの発信なども含まれる。しかし、本人に急用ができたり、より重要な案件が発生してそのメモの確認を失念し、予定が実行されないこともあった。急用では直接自分が行動することはできないにしても、他人（自分も含む）への伝言やメッセージであれば事前に用意することが可能であるにもかかわらず、それを確実に代行してくれるものがなかった。【解決手段】依頼人が、将来の特定日時に、他人（自分も含む）へ発信する伝言やメッセージを事前に用意し、それを、通信回線を通じてコンピューターで登録管理させ、予約された将来の特定日時が到来したとき、依頼人に代わって受取人に代行発信することで課題を解決する。【効果】確実に自動発信される。【選択図】図２
2004187254.tif 000002
【特許請求の範囲】
【請求項１】
指定した日時が到来した時、あらかじめ登録していた伝言を、受取人（本人も含む）に送信するタイムカプセル式伝言取次ビジネス。
【請求項２】
伝言に映像を加えた請求項１のタイムカプセル式伝言取次ビジネス。
【請求項３】
誕生日や結婚記念日などの特定日のお祝い伝言を金融商品の期日案内と連動させたタイムカプセル式伝言取次ビジネス
【発明の詳細な説明】
【０００１】
［産業上の利用分野］本発明は、将来、誰か（本人を含む）に伝えたい伝言を持つ依頼人に代わって、その指定日に確実に伝言を取次発信するタイムカプセル式伝言取次ビジネス。
つまり、依頼人が将来の指定日時に確実に伝えたい伝言を、携帯電話やパソコンからの入力によって記憶装置に記憶し、指定された日時が到来した時、依頼人に代わってその伝言を発信する取次ビジネスである。
【０００２】
［従来の技術］従来から、人は将来の予定を手帳に書き込んだり、パソコンのスケジュール管理を活用したりして管理していた。
【０００３】
［発明が解決しようとする課題］しかし、従来の方法には次のような欠点があった。それは、手帳やパソコンによってスケジュールは記録されているが、突発的なできごとが発生したり、場合によっては、その当日、手帳やパソコンを開くのを忘れたりして、記録していたことが無駄になることもあった。
つまり、その日時が来たら何かをしようとスケジュールに記録していても、当日失念しては、予定していた事を実行できないケースが発生するのである。
【０００４】
［課題を解決するための手段］本発明は、この課題を解決するためになされた。つまり、予約の時点で、将来の特定された日時に確実に実行される依頼人の伝言を入力しておき、予約日時が到来したとき確実に相手先に発信するタイムカプセル式伝言取次ビジネスによって従来の課題を解決する。
【０００５】
［作    用］このタイムカプセル式伝言取次ビジネスの登場によって、依頼人は、将来、誰かに伝えるべき伝言等を確実に予約できることとなり、スケジュール管理や失念によるミスを未然に防止できる。
【０００６】
［実施例］以下に本発明の実施例について説明する。
このタイムカプセル式伝言取次ビジネスは、予め登録した指定日時に伝言を発信する指定日伝言方式（単発または複数回）と、毎日、毎月、毎年の指定日時に繰返し発信するリピート伝言方式である。
指定日伝言方式の実施例は、依頼人の海外旅行中に親友の誕生日がくる場合に旅行出発の前に、あらかじめお祝いメッセージを登録しておけば、その親友の誕生日の指定した時間に親友の携帯電話やパソコンに依頼人のお祝いメッセージが届けられる。仕事面でも自分の海外旅行期間と取引先の創業記念日が重なる時、あらかじめお祝いの伝言を登録して出発すれば、操業記念日の当日に自分のお祝いメッセージを確実に届けられる。又、夫婦で５年後の特別な結婚記念日、例えば銀婚式当日に、自分たちに送信される自分たちのプライベート伝言を予め自分たちで登録するなどの方法で利用することもできる。
リピート方式の実施例は、妻が海外旅行している間も単身赴任中の夫に、毎朝同じ時間に妻の声でモーニングコールができるようになったり、アイドル芸能人の動画付きモーニングコール伝言を用意して、毎朝「フジワラノリカで〜す。起きてくださいネ」などの既製品伝言をモーニングコールとして利用できる。
また、毎年の結婚記念日の朝一番に着信するように自分の携帯に「今日は結婚記念日ですよ、忘れないでね」というメッセージを発信しておくなど、自分への注意メッセージとしても使える。
仕事面では、毎月の決まった日時に実施される重要な例会を失念しないように登録して、その日に自分の携帯電話にそのメッセージが届くようにすることもできる。
【０００７】
［発明の効果］したがって、手帳やパソコンを自ら開かなければならなかったスケジュール管理が、このタイムカプセル型伝言取次ビジネスの登場によって、たとえ失念していたとしても自動的に携帯電話やパソコンに発信されるため、失念しては困る重要なスケジュール管理がこれまで以上に確実なものとなる。
【図面の簡単な説明】
【図１】本発明の概要図
【図２】本発明の情報処理フローチャート
【図３】本発明のデーターベース項目
【図１】
2004187254.tif 000003
【図２】
2004187254.tif 000004
【図３】
2004187254.tif 000005
(57)【要約】【課題】この発明はエレクトレットコンデンサーマイクの防水方法である、従来の方法は、完全防水はない、不良の原因の多数が防水不足にある、完全防水にすることで不良の原因がなくなる、この防水の問題をを解決するため、合成樹脂フィルムと伸縮性合成樹脂を組み合わせることで、完全防水とすることを課題とする。【選択図】  図１
2004187251.tif 000002
【特許請求の範囲】
【請求項１】
エレクトレットコンデンサーマイクを防水するため、合成樹脂フィルムを利用し、防水する方法
【請求項２】
エレクトレットコンデンサーマイクを防水するため、合成樹脂フィルムとエレクトレットコンデンサーマイクの音声入口との間に空気室を設けることで良好な性能を得る方法
【発明の詳細な説明】
【０００１】
【発明の属する技術分野】
この発明の属する技術分野は、エレクトレットコンデンサーマイクの防水に属する技術分野
【０００２】
【従来の技術】
この発明の従来の技術としては、エレクトレットコンデンサーマイクの音声入口の前に、防水した布、または防水した和紙など、防水をするが、通気性のある素材を張ることで、防水をする方法があるが、水圧が加わると、防水の不足で、水がエレクトレットコンデンサーマイクの音声入口より、内部に侵入する、これが原因で不良になる。
【０００３】
【発明が解決しようとする課題】
この発明は従来の方法では、完全防水ではないので、雨天のとき外で、使用すると、防水の不足よる、不良の発生がある、原因の多数が防水不足にある、完全防水にすることで不良の原因がなくなるので、この問題を解決しようとすることを課題とする。
【０００４】
【課題を解決するための手段】
この発明はエレクトレットコンデンサーマイクの完全防水にするために、合成樹脂フィルム使用し、エレクトレットマイクの音声入口に直接張り付けるのではなく、空気室を設けることで良好な性能が得られたので、解決の手段とする。
【０００５】
【発明の実施の形態】
エレクトレットマイクを完全防水にするための実施の形態として、エレクトレットコンデンサーマイクを合成樹脂フィルムを覆い、さらにその外側を伸縮性合成樹脂で覆うことで、完全防水になる、しかしレクトレットコンデンサーマイクの音声入口に接すると、性能が劣化するため、そこに空気室を設けることで問題の解決ができたので、実施の形態とする。
【０００６】
【実施例】
以下、添付図面に従って一実施例を説明する、図１の１伸縮性合成樹脂でエレクトレットコンデンサーマイクの外形を確実に締め付けるように図のように配置することで、完全防水にになるようになる。
【０００７】
図１の２隙間は使用する時、ケースなどに直接に接しないための隙間で合成樹脂フィルムの保護と音質及び音量の劣化を防止するための、空間である。
【０００８】
図１の３合成樹脂フィルムで、厚みが数ミクロンの合成樹脂フィルムを使用することで、音質、音量とも良好な結果が得られた。
【０００９】
図１の４空気室で、この発明の特徴で、この空気室を設けることで従来の防水方法と音質、音量共に同等以上の良好な結果が得られた。
【００１０】
図１の５音声入口で、この所より水が入ると不良の原因になる、ここを防水することが、この発明の目的である、合成樹脂フィルムで、５音声入口を覆うことで完全防水にすることができた。
【００１１】
図１の６エレクトレットコンデンサーマイクです、現在一般に使用されているマイクであるが、水に弱い欠点があるため、種々の防水方法があるが完全な物がない
【００１２】
完全防水にするために、６エレクトレットコンデンサーマイクを水を通さない、合成樹脂フィルムで覆うことで、この発明の目的である完全防水にすることができた。
【００１３】
図１の７引き出し線である、６エレクトレットコンデンサーマイクの出力の取り出し線である。
【図面の簡単な説明】
【図１】一部断面正面図
【図２】底面図
【図３】一部断面上面図
【符号の説明】
１    伸縮性合成樹脂
２    隙間
３    合成樹脂フィルム
４    空気室
５    音声入口
６    エレクトレットコンデンサーマイク
７    引き出し線
【図１】
2004187251.tif 000003
【図２】
2004187251.tif 000004
【図３】
2004187251.tif 000005
(57)【要約】【課題】ハサミのブレードとハンドルを道具を使わず簡単に分離、接合できる方法を提供する。【解決手段】ブレード本体ＡとハンドルＤとストッパーＢがあり、ブレードＡの２つの突起物Ａ’、Ａ’’とハンドルＤ側部外側Ｄ’、Ｄ’’部分の間にストッパーＢのＣ部分を挿入することによりブレード本体ＡとハンドルＤが固定される。ストッパーＢのＣ部分をブレード突起物Ａ’、Ａ’’より外すことによりハンドルＤとブレードＡを簡単に分離できる。【選択図】  図１
2004187741.tif 000002
【特許請求の範囲】
【請求項１】
動刃と静刃を軸にて連結したハサミにおいて、ハサミの側部にハサミブレード部分とハンドルを接合するストッパーを有し道具を使わずストッパーの開閉のみにてハンドルとブレードを分離、接合できる特徴をもったハサミ。
【請求項２】
上記ハサミにおいてハサミブレードの側部にストッパーを固定するための突起物Ａ’、Ａ’’を持つハサミのブレード。
【請求項３】
上記ハサミにおいてハンドル側部にストッパーにてブレードを固定できるようにした部分Ｄ’、Ｄ’’を持つハサミのハンドル。
【請求項４】
上記ハサミにおいてハンドルとブレードを固定するためのＣ部分を持つストッパー。
【発明の詳細な説明】
【０００１】
【発明の属する技術分野】
本発明は、動刃と静刃を軸にて連結したハサミに関するものである。
【０００２】
【従来の技術】
上記ハサミにおいては、ブレードとハンドルは一体化したもの又は道具を使い分離できるもののみであった。
【０００３】
しかし、食器洗い洗浄機の登場または熱湯消毒によりプラスチックハンドルのハサミはプラスチックの劣化が起こるという問題点を抱えていた。
【０００４】
【課題を解決するための方法】
本案は上記ハサミにおいてハンドルとブレードを、道具を使わず簡単に分離、接合できるストッパー、ハサミブレード本体及びハンドルの構造を提供し、ブレードとハンドルを別々に洗浄できることにある。
【０００５】
以下本発明を具体化した実例を図１／−図９に基づいて説明すると、図４のようにハサミブレード本体Ａの側面にストッパーにて柄を固定できるように２つの突起物Ａ’、Ａ’’を有する。
【０００６】
図５のようにハンドルＤにはストッパーを固定できるようＤ’、Ｄ’’部分を有する。
【０００７】
ハンドルの側部外側Ｄ’、Ｄ’’の間にストッパーＢを挿入し、ストッパーＢのＣ部分がハンドルＤのＤ’、Ｄ’’部分とブレード本体Ａの２つの突起物Ａ’、Ａ’’の内部にあることによりハンドルＤとブレード本体ＡをストッパーＢにて固定することを可能とした。固定されている状態の断面図Ｂ‘−Ｂ’‘が図３である。
【０００８】
ストッパーＢを横にスライドさせブレード本体Ａの側部にある２つの突起物Ａ’、Ａ’’よりストッパーＢのＣ部分が外れることによりハンドルＤとブレード本体Ａが道具を使わず簡単に分離できるようにする。
【０００９】
【発明の効果】
またこの発明により、プラスチックハンドルを使用したハサミの抱えるプラスチックの再利用問題にも適用できる。
【図面の簡単な説明】
【図１】本発明のブレードとハンドル接合時の正面図である。
【図２】本発明のブレードとハンドル接合時の側面図である。
【図３】図１のＢ‘−Ｂ’’の断面図である。
【図４】本発明のブレードとハンドル分離時のブレード正面図である。
【図５】本発明のブレードとハンドル分離時のハンドル正面図である。
【図６】本発明のブレードとハンドル分離時の前面図である。
【図７】本発明のブレードとハンドル分離時のストッパー正面図である。
【図８】本発明のブレードとハンドル分離時のストッパー側面図である。
【図９】図５のＣ’−Ｃ’’の断面図である。
【符号の説明】
Ａ  ハサミブレード本体
Ａ’  ハサミブレード突起物１
Ａ’’  ハサミブレード突起物２
Ｂ  ストッパー本体
Ｂ’  ストッパー側部１
Ｂ’’  ストッパー側部２
Ｃ  ストッパー内部ブレード留め具
Ｃ’  ハンドル側部Ｃ入り口１
Ｃ’’  ハンドル側部Ｃ入り口２
Ｄ  ハンドル本体
Ｄ’  ハンドル側部ストッパー固定箇所１
Ｄ’’  ハンドル側部ストッパー固定箇所２
【図１】
2004187741.tif 000003
【図２】
2004187741.tif 000004
【図３】
2004187741.tif 000005
【図４】
2004187741.tif 000006
【図５】
2004187741.tif 000007
【図６】
2004187741.tif 000008
【図７】
2004187741.tif 000009
【図８】
2004187741.tif 000010
【図９】
2004187741.tif 000011
(57)【要約】【課題】浴槽内に体を沈めた状態で使用して、足や腰に負担が掛からず、特に足や腰が弱っている人が長い時間入浴する場合に好適な浴槽用椅子を提供するものである。【解決手段】腰を載せる円形の上面部２の下に円筒状の脚部３を設け、前記上面部２に複数個の円形の通水口４ａ…を開口すると共に、円筒状の脚部３にも所定の間隔で複数個の円形の通水口４ｂ…を開口し、浴槽５の湯６内に入れた時に、湯６の中に浮くようにその浮力を調整したもので、浴槽５の湯６の中に沈めて、この上に腰掛けるようにしたものである。【選択図】    図４
2004187758.tif 000002
【特許請求の範囲】
【請求項１】
プラスチックで形成され、腰を載せる上面部の下に脚部を設け、前記上面部に通水口を開口し、浴槽の湯の中に浮くように浮力を調整したことを特徴とする浴槽用椅子。
【発明の詳細な説明】
【０００１】
【発明の属する技術分野】
本発明は浴槽の湯の中に沈めてここに腰掛ける浴槽用椅子に関するものである。
【０００２】
【従来の技術】
一般に、浴室の洗い場には腰掛け用の椅子が置かれ、体を洗う時にこの椅子に腰掛けている。しかしながら、足や腰の悪い人が浴槽に入って沈むと、腰が浴槽の底面に付いた状態となるため、腰が曲がった姿勢となり、足や腰に負担が掛かる問題があった。特に足や腰が弱っている人が長い時間入浴する場合には負担が大きかった。
【０００３】
【発明が解決しようとする課題】
本発明は上記問題点を改善し、浴槽内に体を沈めた状態で使用して、足や腰に負担がかからず入浴できる浴槽用椅子を提供するものである。
【０００４】
【課題を解決するための手段】
本発明の請求項１記載の浴槽用椅子は、プラスチックで形成され、腰を載せる上面部の下に脚部を設け、前記上面部に通水口を開口し、浴槽の湯の中に浮くように浮力を調整したことを特徴とするものである。
【０００５】
【発明の実施の形態】
以下本発明の実施の一形態を図１ないし図４を参照して詳細に説明する。図において１は浴槽用椅子を示すもので、これはプラスチック製の洗面器を反転させた形状で、図１に示すように腰を載せる円形の上面部２の下部に円筒状の脚部３を設け、前記上面部２に直径の小さい複数個の円形の通水口４ａ…を開孔すると共に、円筒状の脚部３にも所定の間隔で直径の大きい複数個の円形の通水口４ｂ…を開孔したものである。更にこの浴槽用椅子１は図３に示すように浴槽５の湯６内に入れた時に、湯６の中に浮くようにその浮力が調整されている。
【０００６】
上記構成の浴槽用椅子１を使用する場合には、図４に示すように浴槽５の湯６内に浴槽用椅子１を入れ、これを浴槽５の底面に沈め、上面部２に腰を降ろして座った状態で入浴する。このため、腰が直接、浴槽５の底面に接触せず、腰を上げた状態で入浴できるので、足や腰に負担がかからず、長時間入浴する場合に好適である。
【０００７】
また浴槽５から上がると、図３に示すように浴槽用椅子１は、その浮力が浴槽５の湯６の中に浮くように調整してあるので浮き上がり、再度入浴する場合には、浴槽用椅子１を手でつかんで、腰の下に持ってきて腰掛ける。浴槽用椅子１の上面部２と円筒状の脚部３には図２に示すように複数個の円形の通水口４ａ…、通水口４ｂ…が開口されているので、内部に空気が溜らず、湯６の中を縦横方向に自由に移動させることができる。また脚部３には直径が大きい複数個の円形の通水口４ａ…が開口されているので、ここに指を入れて持つこともできる。
【０００８】
なお、浴槽用椅子１の浮力が小さく、浴槽５の底面に沈んだままの状態であると、湯６に浴用剤などが入って浴槽用椅子１が見えにくくなり、この上に乗って転倒する危険があるが、本発明の浴槽用椅子１は、その浮力で湯６の中に浮くように調整してあるので、使用しない時には常に浮いているので安全である。また入浴が終わって浴槽５に蓋をする時にも見えるので、取り出し忘れがなく、またそのまま浮かせた状態にしておいても  次に入浴する人が確認することができるので安全である
【０００９】
図５および図６は本発明の他の実施の形態を示すもので、プラスチック製の角筒形の洗面器を反転させた形状で、図５に示すように腰を載せる長円形の上面部２の下部に長円筒状の脚部３を設け、前記上面部２の中央に直径の大きい円形の通水口４ｂと、直径の小さい複数個の円形の通水口４ａ…を開口すると共に、脚部３の各面にも直径の大きい円形の通水口４ｂ…を開口し、浴槽５の湯６内に入れた時に、湯６の中に浮くようにその浮力が調整されているものである。
【００１０】
図７は本発明の異なる他の実施の形態を示すもので、プラスチックでコ字形に形成され、腰を載せる長方形の上面部２と脚部３に直径の大きい円形の通水口４ｂ…を開口し、浴槽５の湯６内に入れた時に、湯６の中に浮くようにその浮力が調整されているものである。
【００１１】
【発明の効果】
以上説明した如く本発明に係る請求項１記載の浴槽用椅子によれば、腰を載せる上面部の下に脚部を設け、前記上面部に通水口を開口し、浴槽の湯の中に浮くように浮力を調整してあるので、使用する場合には、浴槽の湯内に入れて浴槽の底面に沈め、上面部に腰を掛けて座った状態で入浴でき、足や腰に負担が掛からない。
【００１２】
また浴槽から上がると、浴槽用椅子はその浮力が浴槽の湯の中に浮くように調整してあるので、浮き上がり、再度入浴する場合にもその位置を確認することができ安全である。更には浴槽用椅子の上面部と脚部には通水口が開口されているので、内部に空気が溜らず、湯の中を縦横方向に自由に移動させることができる。
【００１３】
なお上記説明では上面部２と脚部３の両方に通水口４ａ、４ｂを形成したものについて示したが、上面部２だけに設けた構造でも良い。また脚部３の底部にゴムなどの滑り止めを取付けた構造でも良い。また本発明の浴槽用椅子１は洗い場用の椅子としても使用することができる。
【図面の簡単な説明】
【図１】本発明の実施の一形態による浴槽用椅子の斜視図である。
【図２】図１の浴槽用椅子を示す断面図である。
【図３】浴槽の湯の中に浴槽用椅子が浮いている状態を示す説明図である。
【図４】浴槽の湯の中に浴槽用椅子を沈めて、この上に座って入浴している状態を示す説明図である。
【図５】本発明の他の実施の形態による浴槽用椅子の斜視図である。
【図６】図５の浴槽用椅子を示す断面図である。
【図７】本発明の異なる他の実施の形態による浴槽用椅子の斜視図である。
【符号の説明】
１        浴槽用椅子
２        上面部
３        脚部
４ａ    通水口４
４ｂ    通水口
５        浴槽
６        湯
【図１】
2004187758.tif 000003
【図２】
2004187758.tif 000004
【図３】
2004187758.tif 000005
【図４】
2004187758.tif 000006
【図５】
2004187758.tif 000007
【図６】
2004187758.tif 000008
【図７】
2004187758.tif 000009
(57)【要約】【課題】長期間汚れにくく掃除も簡単にできる、従ってメンテナンスの負荷が極端に小さい吸殻処理器を、簡素な構造で安価に提供する。【解決手段】吸殻案内部材と、該吸殻案内部材の下方に消化部を設けた給水容器と、該消化部の下方に吸殻収納容器とを設ける。消化部内に貫通孔をもつ吸殻傾倒材を設ければより好ましい。【選択図】  図１
2004187567.tif 000002
【特許請求の範囲】
【請求項１】
吸殻案内部材と、該吸殻案内部材の下方に消化部を持つ給水容器と、該消化部の下方に吸殻収納容器とを設けたことを特徴とする吸殻処理器。
【請求項２】
前記消化部内に貫通孔をもつ吸殻傾倒材を設けたことを特徴とする請求項１記載の吸殻処理器。
【発明の詳細な説明】
【０００１】
【発明の属する技術分野】
本発明は、簡素な構造でかつ掃除等のメンテナンスの負荷が非常に小さい吸殻処理器を提供するものである。
【０００２】
【従来の技術】
従来、吸殻処理器は、煙草を確実に消火するために水を使用したものが多い。この種の水を使用した吸殻処理器については、掃除等のメンテナンスの煩雑さを解消することが大きな課題として取り上げられている。
【０００３】この点を解決するために、循環する水を横切って火のついた煙草を吸殻収納容器に落下させ、消火された吸殻を分別回収する吸殻処理器が提案されている（例えば、特許文献１参照）。しかし、この方法では、水を循環させるためのポンプが必要で、製造コストが高くなるという問題ともに、使用中に騒音が生じるという欠点があった。
【０００４】
【特許文献１】
特開２０００−１２５８３６号公報（第２−３頁、第１図）
【０００５】
【発明が解決しようとする課題】
本発明は、上記の問題点を解決するためになされたものである。
【０００６】
【課題を解決するための手段】
本発明は、吸殻案内部材と、該吸殻案内部材の下方に消化部を持つ給水容器と、該消化部の下方に吸殻収納容器とを設けることにより、長期間汚れにくく、従ってメンテナンスの負荷が極端に小さい吸殻処理器を、簡素な構造で安価に提供するものである。消化部内に貫通孔をもつ吸殻傾倒材を設ければより好ましい。
【０００７】
【発明の実施の形態】
以下、図面に基づき、この発明の実施の形態を説明する。
【０００８】
【実施例】
図１は、本発明の吸殻処理器の断面図であり、図２は図１のＩ―Ｉ’視である。吸殻処理器のケース１の上部には吸殻Ａを下方向に導く吸殻案内部材２が設けられている。この吸殻案内部材２は周辺部２１と吸殻投入部２２から構成されている。
【０００９】周辺部２１は、吸殻案内部材２をケースから取り外して掃除できるようにケース１に嵌め込み式になっている。また、吸殻投入部２２は漏斗状で、吸殻Ａが通過できる内径をもつ。
【００１０】図３（ａ）は給水容器３の断面図であり、図３（ｂ）は吸殻傾倒材３２を示す。給水容器３は、その上部は密閉されており、中間部には消化部３１を有し、下端には灰Ｂや水の排出また水の補給ができるように、蓋３４が設けられている。この消化部３１は吸殻投入部２２の下方に位置する（図１参照）。このような構造にすることによって、消化部３１内の水面Ｃは図３（ａ）に示すように維持される。
給水容器３は長期間給水しなくてもよいように十分な容量をもつのものが好ましく、その底部３３も灰Ｂを十分収容できるような容量をもつもつのものが好ましい。
【００１１】消化部３１内には吸殻傾倒材３２が設けられている。この吸殻傾倒材３２は、消化部３１中に落下し消火された吸殻Ａを一定の方向に落下させるべく、消化部３１の水面Ｃよりやや下方に設けられており、その上面は吸殻Ａを一定の方向に倒すべくやや傾斜している。この実施例では、給水容器３に吸殻傾倒材３２を貼り付けて消化部３１内に設けているが、他のいかなる方法で設けてもよい。
【００１２】また、吸殻傾倒材３２の素材や形状はとくに限定するものではないが、その上面に灰Ｂが多量に堆積すると、吸殻Ａを一定の方向に倒す効果が減少したり、堆積した灰Ｂの高さが水面以上になると消火能力も減少するので、不燃性の材料で薄板状のものに貫通孔を設けたものや金網などが好ましい。これによって、灰Ｂが下方に通過できるので吸殻傾倒材３２上に灰が堆積することがなく、また万一の場合の燃焼防止にもなる。
【００１３】
ケース１の内面には固定具１１と支持具１２が設けられており、給水容器３はこれらで固定され、また取り付け取り外しできるようになっている（図１、図２参照）。
給水容器３の素材は、内部の水量が見える透明のものが好ましい。もちろんケース１には水量を確認できる窓（図示せず）を設けるのが好ましい。
【００１４】消化部３１の下方には吸殻収納容器４が設けられている。図４は吸殻収納容器４の断面図である。吸殻収納容器４は、ケース１の外面をも兼ねる部分に取っ手４１を設けており、またケース１の内面に設けられた掛け具１３に取り付け取り外しできるように切欠部４２を設けている。
【００１５】以上の構成とすることによって、本発明の吸殻処理器は以下のように機能する。
１．  灰Ｂと火のついた吸殻Ａが、吸殻投入部２２に投入され、消化部３１に落下し消火される。
２．  消火された吸殻Ａは、吸殻傾倒材３２により一定方向に倒され、吸殻収納容器４内に落下する。
３．  灰Ｂは、吸殻傾倒材３２を通過して、給水容器３の底部３３に溜まる。
また、各部はケース１から次のように取り外され清掃される。
１．  吸殻案内部材２はケース１から外され、給水容器３は上方向に取り出される。
２．  吸殻収納容器４は図４の矢印で示すように、取っ手４１を引きケース１の掛け具を支点に回転させた後手前に引き抜かれる。
なお、給水容器３内の水と灰は蓋３４を開けて捨てられる。
【００１６】
【発明の効果】
以上のように、本発明の吸殻処理器は、灰と吸殻を放散させることなくそれぞれ分別回収できるようにしたので長期間汚れにくく、また各部をそれぞれ取り付け取り外しできるように構成したので簡単に掃除でき、メンテナンスの負荷が非常に小さい。さらに、簡素な構造としたので安価に製作できる。
【図面の簡単な説明】
【図１】本発明の吸殻処理器を示す断面図である。
【図２】第１図のＩ―Ｉ’視である。
【図３】（ａ）：本発明の給水容器を示す断面図である。
（ｂ）：本発明の吸殻傾倒材を示す図である。
【図４】本発明の吸殻収納容器を示す図である。
【符号の説明】
１        ケース
１１      固定具
１２      支持具
１３      掛け具
２        吸殻案内部材
２１      周辺部
２２      吸殻投入部
３        給水容器
３１      消化部
３２      吸殻傾倒材
３３      底部
３４      蓋
４        吸殻収納容器
４１      取っ手
４２      切欠部
Ａ        吸殻
Ｂ        灰
Ｃ        水面
【図１】
2004187567.tif 000003
【図２】
2004187567.tif 000004
【図３】
2004187567.tif 000005
【図４】
2004187567.tif 000006